(57)【要約】【課題】間接活線工具収納袋を高圧線から隔離可能な間接活線工具収納袋の防護カバーを提供する。【解決手段】実施形態の間接活線工具収納袋の防護カバー２は、互いに平行な一対の第１筒部材２１と、一対の前記第１筒部材２１を互いに連結する第１連結棒部材２６と、一対の前記第１筒部材２１のそれぞれの内部を、それぞれスライド可能な一対の第２筒部材２２と、一対の前記第２筒部材２２を互いに連結する第２連結棒部材２７と、前記第１連結棒部材２６と前記第２連結棒部材２７との間に掛け渡され、一対の前記第２筒部材２２を一対の前記第１筒部材２１に対してスライドさせることにより開いた状態と閉じた状態とにすることが可能なシート部材２４と、前記シート部材２４が開いた状態において、一対の前記第２筒部材２２を一対の前記第１筒部材２１に対して傾いた姿勢で保持する姿勢保持機構２１ａ，２２ｂと、を備える。【選択図】図２
2020202721.tif 000002
【特許請求の範囲】
【請求項１】
互いに平行な一対の第１筒部材と、一対の前記第１筒部材を互いに連結する第１連結棒部材と、
一対の前記第１筒部材のそれぞれの内部を、それぞれスライド可能な一対の第２筒部材と、一対の前記第２筒部材を互いに連結する第２連結棒部材と、
前記第１連結棒部材と前記第２連結棒部材との間に掛け渡され、一対の前記第２筒部材を一対の前記第１筒部材に対してスライドさせることにより開いた状態と閉じた状態とにすることが可能なシート部材と、
前記シート部材が開いた状態において、一対の前記第２筒部材を一対の前記第１筒部材に対して傾いた姿勢で保持する姿勢保持機構と、
を備える間接活線工具収納袋の防護カバー。
【請求項２】
前記姿勢保持機構は、
前記第１筒部材における前記第２筒部材のスライド方向の先端に、前記第１筒部材の軸線と直交する面に対して傾くように設けられた第１筒部材上端斜面と、
前記第２筒部材における前記スライド方向の後端に、前記第２筒部材の軸線と直交する面に対して傾くように設けられた第２筒部材下端斜面と、
備える請求項１に記載の間接活線工具収納袋の防護カバー。
【請求項３】
前記第２筒部材の側面には前記第２筒部材の軸線方向に延びる溝が設けられ、
前記第１筒部材の前記第１連結棒部材は、前記第１筒部材を貫通して前記溝と係合している、
請求項１または２に記載の間接活線工具収納袋の防護カバー。
【発明の詳細な説明】
【技術分野】
【０００１】
本発明は、間接活線工具収納袋の防護カバーに関する。特に、高所作業車のバケットの側面に保持されて無停電状態で電気工事を実施することができる間接活線工具を収納可能な間接活線工具収納袋に装着する防護カバーに関する。
【背景技術】
【０００２】
高圧配電線を無停電状態で配電工事を実施する活線作業には、直接活線工法と間接活線工法の二通りがあることが知られている。直接活線工法は、作業者が高圧ゴム手袋などの保護具を着用して、通電中の高圧配電線に直接触れて配電工事を実施している。一方、間接活線工法は、作業者が長尺の間接活線工具（ホットスティック）などを用いて、通電中の高圧配電線に直接触れることなく配電工事を実施できる。
【０００３】
作業者が高所作業車のバケットに搭乗して、間接活線作業を実施する場合には、高圧配電線を把持、又は切断するなど、用途に対応した複数の間接活線工具をバケットの側面に保持した収納袋に収納している。そして、作業工程の一部を実施中は、その他の用途の間接活線工具は収納袋に収納する。
【０００４】
このような収納袋は、一般に、開口した上部から間接活線工具を挿入できる有底筒形の収納袋と、収納袋に取り付けた吊下ロープを備えている。そして、吊下ロープをバケットに係留することで、収納袋をバケットの外側に吊り下げることができる。複数の間接活線工具を収納袋に収納しておくことで、バケットの内部の作業スペースを確保でき、収納袋から目的の間接活線工具を取り出すことができる。
【０００５】
上記の有底筒形の収納袋は、間接活線工具を取り出すときに、間接活線工具を上方に持ち上げて収納袋から抜き取るため、バケットの配置により、高圧配電線又は腕金などが収納袋の上方に位置したときに、間接活線工具を取り出すことが困難になる場合がある。又、間接活線工具を取り出し時に、間接活線工具が高圧配電線に接触する心配がある。
【０００６】
このようなことから、縦長長方形の背面部の前面に、その前面を囲う一組の縦長シートを設け、各縦長シートの後端部を背面部に固着し、各縦長シートの前端縁を係脱自在に止着して背面部と一組の縦長シートとの間に、間接活線工具を収納するようにした間接活線工具収納袋が開示されている（例えば、特許文献１参照）。
【０００７】
特許文献１による間接活線工具収納袋は、一組の縦長シートの前端縁同士の止着を解除することで、前方が開放するようになっている。そして、間接活線工具を上方に持ち上げることなく、前方に押し出すことで、間接活線工具を取り出せるように構成している。これにより、特許文献１による収納袋は、間接活線工具を高圧配電線に接触させることなく、安全に取り出すことができる、としている。
【０００８】
しかし、特許文献１による間接活線工具収納袋は、前面にある一対の縦長シートの前端縁同士を止着しているため、バケットの外側に吊した状態で間接活線工具を出し入れするときに、作業者がバケットから身体を乗り出した姿勢で、一対の縦長シートの前端縁同士の止着又は解除をする必要があるので、作業者に対する安全を十分に確保できないという不具合があった。
【０００９】
特許文献１による間接活線工具収納袋は、上記のような不具合があるので、間接活線工具を落下させる心配が無く確実に収納でき、又、作業者がバケットから身体を乗り出すような不安定な姿勢をとることなく、間接活線工具を安全かつ容易に出し入れできる間接活線工具収納装置が開示されている（例えば、特許文献２参照）。
【先行技術文献】
【特許文献】
【００１０】
【特許文献１】特開２０００−１０３４８５号公報
【特許文献２】特開２０１０−１４２０７２号公報
【発明の概要】
【発明が解決しようとする課題】
【００１１】
図５は、従来技術による間接活線工具収納装置の構成を示す斜視図であり、図５（Ａ）は、複数の箱状の可動体をベース体に収容した状態図、図５（Ｂ）は、一部の箱状の可動体をベース体に対して傾倒した状態図である。なお、本願の図５は、特許文献２の図１に相当している。
【００１２】
従来技術による間接活線工具収納装置（以下、収納装置と略称する）９は、箱状のバケットＢｔに保持できる。バケットＢｔは、高所作業車のブームＢｍの先端部に取り付けている。バケットＢｔには、作業員が搭乗でき、所定の間接活線工具Ｈｓを用いて、電気工事を実施できる。
【００１３】
収納装置９は、箱状のベース体９１と複数の角筒状の可動体９２を備えている。ベース体９１は、矩形の背面板９１１と底面板９１２を有している。ベース体９１は、その上面と前面を開放している。収納装置９は、一対の鉤状のフック９ｆを背面板９１１に取り付けている。一対のフック９ｆをバケットＢｔの上縁に係止することで、収納装置９をバケットＢｔから吊下げることができる。
【００１４】
ベース体９１は、一対の側面板９１３と複数の隔壁９１４を有している。複数の隔壁９１４は、一対の側面板９１３と略平行に配置されている。側面板９１３と隔壁９１４で囲われた収容空間、及び、一組の隔壁９１４で囲われた収容空間に可動体９２が収容されている。可動体９２には、間接活線工具Ｈｓをその上面開口から収容できる。
【００１５】
可動体９２は、その前面の底部と底面板９１２が図示しないヒンジ部材で連結している。可動体９２は、通常、図示しないロック機構で起立状態を維持している。図示しないロック機構を解除することで、図５（Ｂ）に示すように、目的の可動体９２を前面側に傾倒できる。
【００１６】
特許文献２による間接活線工具収納装置は、間接活線工具を出し入れする時に間接活線工具をバケットから遠ざかる方向に移動させる必要がなく、又、バケットの前方側にある部分に対する操作を行う必要がないため、作業者がバケットから身体を外側に乗り出すような姿勢をとることなく、簡単な作業で間接活線工具を出し入れでき、作業者の安全を確保できる、としている。
【００１７】
一般に、間接活線工具は、導電性を有する工具部を先端側に配置している。図５を参照して、特許文献２による収納装置９に、間接活線工具Ｈｓを収容した状態では、間接活線工具Ｈｓの工具部が露出している。このため、収納装置９から間接活線工具Ｈｓを取り出すときに、間接活線工具Ｈｓの工具部が高圧配電線などの通電部材に接触する心配がある。又、間接活線工具Ｈｓを用いて作業中に、バケットを移動すると、収納装置９に収容した間接活線工具Ｈｓの工具部が高圧配電線に接触する心配がある。
【００１８】
さらに、作業に夢中になると、間接活線工具収納袋が高圧引下線に近づいている場合がある。そうすると、間接活線工具収納袋に手を伸ばしたときに、高圧引下線に接触して、感電する可能性がある。
【００１９】
本発明は、このような課題に鑑みてなされたものであり、間接活線工具収納袋を高圧線から隔離可能な間接活線工具収納袋の防護カバーを提供することを目的とする。
【課題を解決するための手段】
【００２０】
上記課題を解決するために、本発明の間接活線工具収納袋の防護カバーは、互いに平行な一対の第１筒部材と、一対の前記第１筒部材を互いに連結する第１連結棒部材と、一対の前記第１筒部材のそれぞれの内部を、それぞれスライド可能な一対の第２筒部材と、一対の前記第２筒部材を互いに連結する第２連結棒部材と、前記第１連結棒部材と前記第２連結棒部材との間に掛け渡され、一対の前記第２筒部材を一対の前記第１筒部材に対してスライドさせることにより開いた状態と閉じた状態とにすることが可能なシート部材と、前記シート部材が開いた状態において、一対の前記第２筒部材を一対の前記第１筒部材に対して傾いた姿勢で保持する姿勢保持機構と、を備える。
【００２１】
前記姿勢保持機構は、前記第１筒部材における前記第２筒部材のスライド方向の先端に、前記第１筒部材の軸線と直交する面に対して傾くように設けられた第１筒部材上端斜面と、前記第２筒部材における前記スライド方向の後端に、前記第２筒部材の軸線と直交する面に対して傾くように設けられた第２筒部材下端斜面と、備えることが好ましい。
【００２２】
前記第２筒部材の側面には前記第２筒部材の軸線方向に延びる溝が設けられ、前記第１筒部材の前記第１連結棒部材は、前記第１筒部材を貫通して前記溝と係合していることが好ましい。
【発明の効果】
【００２３】
本発明によると、間接活線工具収納袋を高圧線から隔離可能な間接活線工具収納袋の防護カバーを提供することができる。
【図面の簡単な説明】
【００２４】
【図１】防護カバー２が装着された収納袋１がバケットＢｔに取り付けられた状態を示す斜視図であり、防護カバー２が閉じた状態である。
【図２】図１の状態から防護カバー２を広げた状態を示す図である。
【図３】図２に示すＡ方向から見た、防護カバー２の断面図である。
【図４】（Ａ）、（Ｂ）は、図２におけるＸ部分の拡大斜視図であり、（Ａ）は中間筒２２が外筒２１に対してスライドしている状態、（Ｂ）は中間筒２２が外筒２１に対して傾いた状態を示す図である。
【図５】従来技術による間接活線工具収納装置の構成を示す斜視図であり、（Ａ）は、複数の箱状の可動体をベース体に収容した状態図、（Ｂ）は、一部の箱状の可動体をベース体に対して傾倒した状態図である。
【発明を実施するための形態】
【００２５】
まず、本発明の実施形態の間接活線工具収納袋の防護カバー２の説明の前に、防護カバー２が取り付けられる間接活線工具収納袋（以下、収納袋と略称する）１の一例について説明する。ただし、収納袋１の構成はこれに限定されず、他の構成であってもよい。また、上記従来技術で説明した部分と同様の部分については説明を省略する。
【００２６】
（収納袋１）
図１は、実施形態の防護カバー２が装着された収納袋１がバケットＢｔに取り付けられた状謡示す斜視図であり、防護カバー２が閉じた状態である。図２は、図１の状態から防護カバー２を広げた状態を示す図である。
【００２７】
収納袋１は、箱状のバケットＢｔの側面に保持される。以下、箱状のバケットＢｔにおける収納袋１が取り付けられる方向を前、逆側を後として説明する。
バケットＢｔは、高所作業車のブームＢｍの先端部に取り付けられている。収納袋１には、１つ以上の長尺の間接活線工具Ｈｓが収納可能である。
【００２８】
収納袋１は、有底箱形で、後面がバケットＢｔに係止されている。また、収納袋１は、上面が開口し、その上面から間接活線工具Ｈｓが出し入れ可能である。
【００２９】
収納袋１は、絶縁性を有する帆布などの厚手の布材を縫製することにより、箱状に形成されている。収納袋１は、一対の鉤状の収納袋取付フック１ｆが後面に取り付けられている。一対の１ｆをバケットＢｔの前面の上縁に係止することで、収納袋１はバケットＢｔから吊下げることができる。
【００３０】
収納袋１は、これに限定されないが、複数の仕切り部材１１を有している。複数の仕切り部材１１は、一対の側面壁１１ｓと略平行に配置されている。側面と仕切り部材１１で囲われた間接活線工具収容室Ｒ、及び、一組の仕切り部材１１で囲われた間接活線工具収容室Ｒに間接活線工具Ｈｓが収容可能である。
【００３１】
間接活線工具収容室Ｒからは、間接活線工具Ｈｓを互いに干渉すること無く、上面開口から収容可能である。なお、１つの間接活線工具収容室Ｒには、二つの間接活線工具Ｈｓを収容することもできる。
【００３２】
（防護カバー２）
次に、本発明の実施形態の防護カバー２について説明する。防護カバー２はそれぞれの部材が絶縁性を有する材料で製造されている。図３は、図２に示すＡ方向から見た、防護カバー２の断面図である。図４は、図２におけるＸ部分の拡大斜視図である。
防護カバー２は、一対の伸縮筒部２０と、一対の伸縮筒部２０間を連結する複数の連結棒部材２６，２７，２８と、複数の連結棒部材２６，２７，２８の間にかけ渡されるシート部材２４と、一対の伸縮筒部２０のそれぞれに設けられた防護カバー取付フック２５とを備える。
防護カバー２は、図１、図２に示すように、後述する２つの伸縮筒部２０のそれぞれの前側に取り付けられた２つの防護カバー取付フック２５を有し、収納袋１内に配置されて収納袋１の前面に取り付けられるものである。
【００３３】
（伸縮筒部２０）
一対の伸縮筒部２０は、それぞれ外筒２１と、中間筒２２と、内筒２３とを備える。内筒２３は中間筒２２の内部を軸線に沿ってスライド可能で、中間筒２２は外筒２１の内部を軸線に沿ってスライド可能であり、これにより伸縮筒部２０は伸縮可能となっている。
図１の防護カバー２が閉じた状態とは、伸縮筒部２０が縮んだ状態、すなわち、外筒２１の内部に中間筒２２の大部分が挿入され、中間筒２２の内部に内筒２３の大部分が挿入されている状態である。図２の防護カバー２が開いた状態とは、伸縮筒部２０が伸びた状態、すなわち、外筒２１に対して中間筒２２がスライドして繰り出し、中間筒２２に対して内筒２３がスライドして繰り出した状態である。
【００３４】
（外筒２１）
外筒２１の上端面の後部には、図３に示すように横から見たときに、外筒２１の軸線と直交する面に対して後方にいくほど下に傾いて後端が低くなり、且つ図３の状態で中間筒２２の外面と当接する外筒上端後部斜面２１ａが設けられている。
【００３５】
（外筒連結棒部材２６）
外筒２１の外筒上端後部斜面２１ａの前側には、外筒貫通孔２１ｂが設けられている。外筒連結棒部材２６は、その両端が、一対の外筒２１のそれぞれの外筒貫通孔２１ｂを挿通した状態で外筒２１に固定されている。これにより、一対の外筒２１は互いの間隔が一定に保たれている。
【００３６】
（中間筒２２）
中間筒２２の上端面の後部には、図３に示すように横から見たときに、中間筒２２の軸線と直交する面に対して後方にいくほど下に傾いて後端が低くなり、且つ図３の状態で内筒２３の外面と当接する中間筒上端後部斜面２２ａが設けられている。
中間筒２２の下端面の前側には、図３に示すように横から見たときに、中間筒２２の軸線と直交する面に対して前方にいくほど上になり、且つ図３の状態で外筒２１の内面と当接するように傾いた中間筒下端前部斜面２２ｂが設けられている。
【００３７】
（中間筒凹条溝２２ｃ）
中間筒２２の側面における、他方の中間筒２２と対向する部分には、中間筒２２の軸線に沿って延びる中間筒凹条溝２２ｃが形成されている。中間筒凹条溝２２ｃの下端には、外筒連結棒部材２６の端部が係合している。
この外筒連結棒部材２６の端部と中間筒凹条溝２２ｃの係合により、中間筒２２は外筒２１内をスライドする際に直線案内される。また、中間筒２２が外筒２１に対して上方にスライドし、中間筒凹条溝２２ｃの下端が外筒連結棒部材２６の端部と当接すると、中間筒２２はそれ以上、上方へと移動しないので、中間筒２２の外筒２１からの抜けが防止される。
【００３８】
（中間筒連結棒部材２７）
中間筒２２の中間筒上端後部斜面２２ａよりも前側には、中間筒貫通孔２２ｄが設けられている。中間筒連結棒部材２７は、その両端が一対の中間筒２２のそれぞれの中間筒貫通孔２２ｄを挿通した状態で中間筒２２に固定されている。これにより、一対の中間筒２２は互いの間隔が一定に保たれている。
【００３９】
（姿勢保持機構）
外筒上端後部斜面２１ａと中間筒下端前部斜面２２ｂとは、中間筒２２を外筒２１に対して傾いた状態の姿勢を保持する姿勢保持機構である。
図４（Ａ）の矢印に示すように中間筒２２が、中間筒凹条溝２２ｃの下端が外筒連結棒部材２６の端部と当接する位置まで上方にスライドする。
ここで、外筒上端後部斜面２１ａが下向き斜面で後端が低くなっている。また、中間筒２２の中間筒下端前部斜面２２ｂが上向き斜面で前端が高くなるように切りかかれている。
したがって、図４（Ｂ）に示すように中間筒２２は外筒連結棒部材２６の端部を中心として、図中矢印のように後方の収納袋１側に回転して傾くことが可能となる。
そして、中間筒下端前部斜面２２ｂの上向き斜面が外筒２１の上端の前側内側面と当接すると、内筒２３が外筒２１に対して所定角度となる姿勢で保持される。
【００４０】
（内筒２３）
内筒２３の下端面の前側には、図３に示すように横から見たときに、内筒２３の軸線と直交する面に対して前方にいくほど上になり、且つ図３の状態で中間筒２２の内面と当接するように傾いた内筒下端前部斜面２３ｂが設けられている。
【００４１】
（内筒凹条溝２３ｃ）
内筒２３の側面における、他方の内筒２３と対向する部分には、内筒２３の軸線に沿って延びる内筒凹条溝２３ｃが形成されている。内筒凹条溝２３ｃの下端には、中間筒連結棒部材２７の端部が係合している。この中間筒連結棒部材２７の端部と内筒凹条溝２３ｃの係合により、内筒２３は中間筒２２内をスライドする際に直線案内される。
また、内筒２３が中間筒２２に対して上方にスライドし、内筒凹条溝２３ｃの下端が中間筒連結棒部材２７の端部と当接すると、内筒２３はそれ以上、上方へと移動しないので、内筒２３の中間筒２２からの抜けが防止される。
【００４２】
（内筒連結棒部材２８）
内筒２３の上端には内筒貫通孔２３ｄが設けられている。内筒連結棒部材２８は、両端が内筒貫通孔２３ｄを挿通した状態で内筒２３に固定されている。これにより、一対の内筒２３は互いの間隔が一定に保たれている。
【００４３】
（姿勢保持機構）
中間筒上端後部斜面２２ａと内筒下端前部斜面２３ｂとは、内筒２３を中間筒２２に対して傾いた状態の姿勢を保持する保持機構である。
保持機構は、図４（Ａ）で説明した中間筒２２と外筒２１との間の保持機構と同様である。内筒２３が、内筒凹条溝２３ｃの下端が中間筒連結棒部材２７の端部と当接する位置まで上方にスライドする。
ここで、中間筒上端後部斜面２２ａが下向き斜面で後端が低くなっている。また、内筒２３の内筒下端前部斜面２３ｂが上向き斜面で前端が高くなるように切りかかれている。
したがって、内筒２３は中間筒連結棒部材２７の端部を中心として後方の収納袋１側に回転して傾くことが可能となる。
そして、内筒下端前部斜面２３ｂの上向き斜面が中間筒２２の上端の前側内側面と当接すると、内筒２３が中間筒２２に対して所定角度となる姿勢で保持される。
【００４４】
（シート部材２４）
シート部材２４は、外筒連結棒部材２６と中間筒連結棒部材２７との間、中間筒連結棒部材２７と内筒連結棒部材２８との間に掛け渡されている。図１のように伸縮筒部２０が縮んでいると、シート部材２４は収納袋１の前面の外側に垂れ下がった状態となる。図２のように伸縮筒部２０が伸びたていると、シート部材２４は外筒連結棒部材２６、中間筒連結棒部材２７、内筒連結棒部材２８に渡って張られた状態となる。
【００４５】
防護カバー２を図１の閉じた状態から図２の開いた状態にする場合、内筒連結棒部材２８をつかんで、上方に引っ張り上げ、内筒２３を中間筒２２に対し、中間筒２２を外筒２１に対してスライドさせる。そして、中間筒凹条溝２２ｃの下端が外筒連結棒部材２６の端部と当接し、また内筒凹条溝２３ｃの下端が中間筒連結棒部材２７の端部と当接し、これ以上、内筒連結棒部材２８を引っ張れなくなったところで、内筒連結棒部材２８を後方に引く。そうすると、このような簡単な操作で、図２に示すように防護カバー２が収納袋１の上部を覆う状態とすることができる。
【００４６】
これにより、収納袋１に収納されている間接活線工具Ｈｓ全体を防護カバー２に覆うことができる。防護カバー２は、全体が絶縁性を有する材料で製造されているので、収納袋１に収納されている間接活線工具Ｈｓの工具部が高圧配電線などの通電部材に不用意に接触することを防護できる。
【００４７】
実施形態において伸縮筒部２０を伸ばしたときに、中間筒２２は外筒２１に対して後側の収納袋１側に傾き、内筒２３は中間筒２２に対して後側の収納袋１側に傾く。したがって、張られた防護カバー２は、収納袋１上を覆って高所作業車のバケットＢｔ側に傾くので、バケットＢｔの外側に出ることがなく、防護カバー２が高圧線に接近することが防止される。
【００４８】
防護カバー２を図２の開いた状態から図１の閉じた状態にする場合、内筒連結棒部材２８をつかんで、内筒２３を中間筒２２に対して一直線状にし、中間筒２２を外筒２１に対して一直線状にすることで、自重によって内筒２３は中間筒２２内に、中間筒２２は外筒２１内にスライドして収納される。このように、防護カバー２は、容易に閉じた状態にすることができる。
したがって、間接活線工具Ｈｓの収納袋１に対する出し入れが容易である。また、防護カバー２を閉じずに開いたままで垂直方向に移動させて、間接活線工具Ｈｓの出し入れをすることもできる。この場合、間接活線工具Ｈｓの収納方向をガイドする役割にもなる。
【００４９】
実施形態では３段にスライド可能な構造としたがこれに限定されず４段以上でもよい。また、２段でもよい。
防護カバー２を、例えば３段以上にしてより広い面積を覆うようにすると、強風時の風よけに使用することも可能である。
また、実施形態では中間筒凹条溝２２ｃ及び内筒凹条溝２３ｃを凹条の溝にしたが、貫通させてもよい。
【符号の説明】
【００５０】
Ｂｔ  バケット
Ｈｓ  間接活線工具
１  収納袋
２  防護カバー
２０  伸縮筒部
２１  外筒（第１筒部材）
２１ａ  外筒上端後部斜面（第１筒部材上端斜面，姿勢保持機構）
２１ｂ  外筒貫通孔
２２  中間筒（第２筒部材）
２２ａ  中間筒上端後部斜面（姿勢保持機構）
２２ｂ  中間筒下端前部斜面（第２筒部材下端斜面，姿勢保持機構）
２２ｃ  中間筒凹条溝（溝）
２２ｄ  中間筒貫通孔
２３ｂ  内筒下端前部斜面（姿勢保持機構）
２３ｃ  内筒凹条溝（溝）
２４  シート部材
２５  防護カバー取付フック
２６  外筒連結棒部材（第１連結棒部材）
２７  中間筒連結棒部材（第２連結棒部材）
２８  内筒連結棒部材
【図１】
2020202721.tif 000003
【図２】
2020202721.tif 000004
【図３】
2020202721.tif 000005
【図４】
2020202721.tif 000006
【図５】
2020202721.tif 000007